【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】
光源手段から出射された少なくとも１つの光束を偏向手段に入射させる入射光学手段と、該偏向手段で反射偏向した光束を被走査面上に結像させるための出射面に回折面を設けた回折光学素子を含む結像手段とを有し、該結像手段により該回折光学素子の出射面に設けた回折面を透過する際に発生した１次使用回折光を該被走査面上に結像させている走査光学装置であって、
該回折面で生じ該回折光学素子の入射面で反射し、該被走査面上を主走査方向に走査する該被走査面上での６次不要回折光の副走査方向の広がり幅をΦｓ、該被走査面上での６次不要回折光の主走査方向の広がり幅をΦｍ、該被走査面上での該６次不要回折光の走査幅をＬｍ、該被走査面上での該１次使用回折光の有効走査幅をＬｏとするとき、
Φｓ／Φｍ＞Ｌｏ／Ｌｍ
Φｓ／Φｍ＞１
なる条件を満足することを特徴とする走査光学装置。
【請求項２】
光源手段から出射された少なくとも１つの光束を偏向手段に入射させる入射光学手段と、該偏向手段で反射偏向した光束を被走査面上に結像させるための出射面に回折面を設けた回折光学素子を含む結像手段とを有し、該結像手段により該回折光学素子の出射面に設けた回折面を透過する際に発生した１次使用回折光を該被走査面上に結像させている走査光学装置であって、
該回折面で生じ該回折光学素子の入射面で反射し、該被走査面上を主走査方向に走査する該被走査面上での６次不要回折光の副走査方向の広がり幅をΦｓ、該被走査面上での６次不要回折光の主走査方向の広がり幅をΦｍ、該被走査面上での該６次不要回折光の走査幅をＬｍ、該被走査面上での該１次使用回折光の有効走査幅をＬｏとするとき、
Φｓ／Φｍ＞Ｌｏ／Ｌｍ
Φｓ／Φｍ＞１
なる条件を満足し、
且つ、該６次不要回折光は、副走査断面内において、該回折面と被走査面との間で一旦集光していることを特徴とする走査光学装置。
【請求項３】
前記回折光学素子はプラスチック製であることを特徴とする請求項１又は２の走査光学装置。
【請求項４】
請求項１乃至３の何れか１項に記載の走査光学装置と、前記被走査面に配置された感光体と、該走査光学装置で走査された光束によって該感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項５】
請求項１乃至３の何れか１項に記載の走査光学装置と、外部機器から入力したコードデータを画像信号に変換して該走査光学装置に入力せしめるプリンタコントローラとを有していることを特徴とする画像形成装置。
【手続補正２】
【補正対象書類名】明細書
【補正対象項目名】００１７
【補正方法】変更
【補正の内容】
【００１７】
【課題を解決するための手段】
請求項１の発明の走査光学装置は、光源手段から出射された少なくとも１つの光束を偏向手段に入射させる入射光学手段と、該偏向手段で反射偏向した光束を被走査面上に結像させるための出射面に回折面を設けた回折光学素子を含む結像手段とを有し、該結像手段により該回折光学素子の出射面に設けた回折面を透過する際に発生した１次使用回折光を該被走査面上に結像させている走査光学装置であって、
該回折面で生じ該回折光学素子の入射面で反射し、該被走査面上を主走査方向に走査する該被走査面上での６次不要回折光の副走査方向の広がり幅をΦｓ、該被走査面上での６次不要回折光の主走査方向の広がり幅をΦｍ、該被走査面上での該６次不要回折光の走査幅をＬｍ、該被走査面上での該１次使用回折光の有効走査幅をＬｏとするとき、
Φｓ／Φｍ＞Ｌｏ／Ｌｍ
Φｓ／Φｍ＞１
なる条件を満足することを特徴としている。
【手続補正３】
【補正対象書類名】明細書
【補正対象項目名】００１８
【補正方法】変更
【補正の内容】
【００１８】
請求項２の発明の走査光学装置は、光源手段から出射された少なくとも１つの光束を偏向手段に入射させる入射光学手段と、該偏向手段で反射偏向した光束を被走査面上に結像させるための出射面に回折面を設けた回折光学素子を含む結像手段とを有し、該結像手段により該回折光学素子の出射面に設けた回折面を透過する際に発生した１次使用回折光を該被走査面上に結像させている走査光学装置であって、
該回折面で生じ該回折光学素子の入射面で反射し、該被走査面上を主走査方向に走査する該被走査面上での６次不要回折光の副走査方向の広がり幅をΦｓ、該被走査面上での６次不要回折光の主走査方向の広がり幅をΦｍ、該被走査面上での該６次不要回折光の走査幅をＬｍ、該被走査面上での該１次使用回折光の有効走査幅をＬｏとするとき、
Φｓ／Φｍ＞Ｌｏ／Ｌｍ
Φｓ／Φｍ＞１
なる条件を満足し、
且つ、該６次不要回折光は、副走査断面内において、該回折面と被走査面との間で一旦集光していることを特徴としている。
【手続補正４】
【補正対象書類名】明細書
【補正対象項目名】００１９
【補正方法】変更
【補正の内容】
【００１９】
請求項３の発明は、請求項１又は２の発明において、前記回折光学素子はプラスチック製であることを特徴としている。
【手続補正５】
【補正対象書類名】明細書
【補正対象項目名】００２０
【補正方法】変更
【補正の内容】
【００２０】
請求項４の発明の画像形成装置は、請求項１乃至３の何れか１項に記載の走査光学装置と、前記被走査面に配置された感光体と、該走査光学装置で走査された光束によって該感光体上に形成された静電潜像をトナー像として現像する現像器と、現像されたトナー像を被転写材に転写する転写器と、転写されたトナー像を被転写材に定着させる定着器とを有することを特徴としている。
【手続補正６】
【補正対象書類名】明細書
【補正対象項目名】００２１
【補正方法】変更
【補正の内容】
【００２１】
請求項５の発明の画像形成装置は、請求項１乃至３の何れか１項に記載の走査光学装置と、外部機器から入力したコードデータを画像信号に変換して該走査光学装置に入力せしめるプリンタコントローラとを有していることを特徴としている。
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００４２
【補正方法】変更
【補正の内容】
【００４２】
そこで本実施形態では、回折光学素子６２の屈折面６３の主走査方向及び副走
査方向の曲率半径等を適切に設定することにより、被走査面９に入射したときの
不要回折光の迷光１３の広がり（大きさ）を、主走査方向よりも副走査方向の方
が広くなるように設定している。即ち、本実施形態では、下記の条件式（１）
Φｓ／Φｍ＞Ｌｏ／Ｌｍ    ………（１）
Φｓ／Φｍ＞１
（但し、Φｓ：被走査面上での不要回折光の迷光の副走査方向の広がり
Φｍ：被走査面上での不要回折光の迷光の主走査方向の広がり
Ｌｍ ：不要回折光の迷光の走査幅
Ｌｏ ：有効走査幅）
を満たすように結像手段６の副走査方向のパワー配置を適時最適化に設定してい
る。これにより本実施形態では被走査面（感光ドラム面）９上において副走査方
向にビームを広げ、即ち不要回折光の迷光１３の結像状態を被走査面９上でピン
ぼけ状態にすることにより、迷光のエネルギー密度を低減させて、クリアで鮮明
なる画像を得ている。
【手続補正１１】
【補正対象書類名】図面
【補正対象項目名】図２
【補正方法】変更
【補正の内容】
【図２】
2002244070.tif 000001